(57)【特許請求の範囲】
【請求項１】
縦横に交差して組上げられた鉄筋の交差部に装着可能な鉄筋用スペーサーであって、
交差された一方の鉄筋に型枠の設置側である前方に向けて片持ち状に掛けられるスペーサー主部と、
前記スペーサー主部のうち一方の鉄筋に掛けられる部位に一端が固定されて他端側が交差された他方の鉄筋の前方側に当接される装着用線材と、
前記スペーサー主部の側面から突設される部位であって前記装着用線材が当接された前記他方の鉄筋の前方側に近接対向する第１規制部と、を備える
ことを特徴とする鉄筋用スペーサー。
【請求項２】
請求項１記載の鉄筋用スペーサーにおいて、
前記スペーサー主部の後部の一部から後方に向けて延出する当接部を備え、
前記他方の鉄筋が前記当接部の側面で受け止め支持可能に構成されることを特徴とする鉄筋用スペーサー。
【請求項３】
請求項２記載の鉄筋用スペーサーにおいて、
前記スペーサー主部の後端と前記当接部との間に凹入段部を形成され、
前記凹入段部は、交差された一方の鉄筋に係合可能に構成されていることを特徴とする鉄筋用スペーサー。
【請求項４】
請求項１乃至３のいずれかに記載の鉄筋用スペーサーにおいて、
前記装着用線材は、他端側が途中で屈曲されるとともに他端側の所定部位が前記交差部のうち前記一端が固定される側とは反対側に当接可能に構成されることを特徴とする鉄筋用スペーサー。
【請求項５】
請求項１乃至４のいずれかに記載の鉄筋用スペーサーにおいて、
前記装着用線材は、弾性変形可能な鋼線で構成され、他端側が変位自在に構成されていることを特徴とする鉄筋用スペーサー。
【請求項６】
請求項１乃至５のいずれかに記載の鉄筋用スペーサーにおいて、
前記装着用線材は、前記一端が前方へ向けて屈曲形成された状態で前記スペーサー主部のうち一方の鉄筋に掛けられる部位に埋設固定されるとともに、埋設固定された部位も含めて前記交差部の前方側に位置する鉄筋の前端部よりも後方に位置することを特徴とする鉄筋用スペーサー。
【請求項７】
請求項１乃至６のいずれかに記載の鉄筋用スペーサーにおいて、
前記スペーサー主部の後部側面から第２規制部を突設し、前記第２規制部の後端面を前記スペーサー主部の後端面に一連に連続させていることを特徴とする鉄筋用スペーサー。
【請求項８】
請求項７記載の鉄筋用スペーサーにおいて、
前記第１規制部と第２規制部との間に空隙を形成することを特徴とする鉄筋用スペーサー。
【請求項９】
請求項１乃至８のいずれかに記載の鉄筋用スペーサーにおいて、
前記スペーサー主部は、前記交差部において横向きの横鉄筋に掛けられ、
前記装着用線材は、前記横鉄筋の後方側で交差する縦向きの縦鉄筋の前方側に当接され、
前記第１規制部は、前記装着用線材が当接される前記縦鉄筋の前方側に近接対向することを特徴とする鉄筋用スペーサー。
【発明の詳細な説明】
【技術分野】
【０００１】
本発明は、鉄筋コンクリートを打設する際に、鉄筋と型枠内面との間隔寸法（被り寸法）を確保するために鉄筋に装着して用いる鉄筋用スペーサーに関する。
【背景技術】
【０００２】
上記鉄筋用スペーサーとしては各種のものが提案されており、例えば特許文献１あるいは特許文献２に開示されているように、コンクリートあるいはモルタルからなるスペーサー主部における後端部から装着用線材を片持ち状に延出し、装着用線材の基端屈曲部とスペーサー主部の後端との間に鉄筋を係入して鉄筋用スペーサーを引っ掛け支持するとともに、装着用線材の遊端部を鉄筋に前面側から係止して姿勢を保持するよう構成したものが知られている。
【先行技術文献】
【特許文献】
【０００３】
【特許文献１】特開２００４−２７０４３１号公報
【特許文献２】特開２００９−２８７３４３号公報
【発明の概要】
【発明が解決しようとする課題】
【０００４】
上記構成の鉄筋用スペーサーは、鉄筋へ容易に装着できるものであるが、装着作業中の不用意な接触や流し込まれるコンクリートから受ける圧力、等によって装着姿勢や装着位置が変化するおそれがあった。
【０００５】
つまり、特許文献１に示された構造においては、横鉄筋に引っ掛け支持された鉄筋用スペーサーが、スペーサー主部の重量によって下方に回動するのを、装着用線材の下方遊端部と縦鉄筋との係合当接によって阻止することで、鉄筋用スペーサーの姿勢を決めるようにしているので、装着作業中に既に装着した鉄筋用スペーサーに不用意に触れて反転回動させてしまうおそれがある。
【０００６】
また、特許文献２に示された構造は、装着用線材を２重に折り曲げた構造にするとともに、片持ち状に延出された装着用線材をＬ形に屈曲させて、装着用線材の遊端部をスペーサー本体から離れて位置させることで、横鉄筋および縦鉄筋のいずれにも係合装着することができるよう工夫されているのであるが、特許文献１の場合と同様に、鉄筋用スペーサーが鉄筋との係合部位を中心に回動して姿勢が変化するおそれがある。
【０００７】
本発明はこのような実情に着目してなされたものであって、鉄筋への装着を容易に行えるとともに、鉄筋への装着姿勢を安定保持することができる鉄筋用スペーサーを提供することを目的としている。
【課題を解決するための手段】
【０００８】
本発明は、このような目的を達成するために、次のような構成をとる。
すなわち、本発明は、縦横に交差して組上げられた鉄筋の交差部に装着可能な鉄筋用スペーサーであって、
交差された一方の鉄筋に型枠の設置側である前方に向けて片持ち状に掛けられるスペーサー主部と、
前記スペーサー主部のうち一方の鉄筋に掛けられる部位に一端が固定されて他端側が交差された他方の鉄筋の前方側に当接される装着用線材と、
前記スペーサー主部の側面から突設される部位であって前記装着用線材が当接された前記他方の鉄筋の前方側に近接対向する第１規制部と、を備える
ことを特徴とする。
【０００９】
［作用・効果］本発明によれば、鉄筋用スペーサーが縦横に交差して組上げられた鉄筋の交差部に装着される場合、スペーサー主部が交差された一方の鉄筋に型枠の設置側である前方に向けて片持ち状に掛けられ、装着用線材がスペーサー主部のうち一方の鉄筋に掛けられる部位に一端を固定され、他端側を交差された他方の鉄筋の前方側に当接され、スペーサー主部の側面から突設される第１規制部が装着用線材を当接させた他方の鉄筋の前方側に近接対向される。これにより、交差された一方の鉄筋に引っ掛けられたスペーサー主部が自らの重量により下方に回動するのを交差された他方の鉄筋の前方側に当接している装着用線材によって阻止できる。さらに、スペーサー主部に不用意に触れて上方に反転回動するのを他方の鉄筋の前方側に近接対向する第１規制部によって阻止できる。したがって、鉄筋への装着を容易に行えるとともに、鉄筋への装着姿勢を安定保持することができる。
【００１０】
また、本発明において、前記スペーサー主部の後部の一部から後方に向けて延出する当接部を備え、
前記他方の鉄筋が前記当接部の側面で受け止め支持可能に構成されることが好ましい。
これにより、当接部がスペーサー主部の後部の一部から後方に向けて延出され、交差された他方の鉄筋がこの当接部の側面で受け止め支持されるので、一方の鉄筋に沿って鉄筋用スペーサーが他方の鉄筋側へ向かってズレ動くことをこの当接部の側面で阻止することができる。したがって、コンクリートが勢い良く流し込まれて、一方の鉄筋に沿って鉄筋用スペーサーを他方の鉄筋側へ向けてズレ動かす圧力が大きく作用する場合にも、他方の鉄筋が当接部の側面で受け止め支持されているので、鉄筋用スペーサーが装着位置から横側方にズレ動きにくくなる。
【００１１】
また、本発明において、前記装着用線材は、他端側が途中で屈曲されるとともに他端側の所定部位が前記交差部のうち前記一端が固定される側とは反対側に当接可能に構成されることが好ましい。
これにより、装着用線材は、他端側が途中で屈曲されるとともに他端側の所定部位が交差部のうち装着用線材の一端が固定される側とは反対側に当接するので、一方の鉄筋に沿って鉄筋用スペーサーが他方の鉄筋側から離れる方向にズレ動くことをこの装着用線材の他端側の所定部位で阻止することができる。したがって、コンクリートが勢い良く流し込まれて、一方の鉄筋に沿って鉄筋用スペーサーを他方の鉄筋側から離れる方向にズレ動かす圧力が大きく作用する場合にも、他方の鉄筋がこの装着用線材の他端側の所定部位に当接されているので、鉄筋用スペーサーが装着位置から横側方の両方向にズレ動きにくくなる。
【００１２】
また、本発明において、前記装着用線材は、弾性変形可能な鋼線で構成され、他端側が変位自在に構成されていることが好ましい。
これにより、装着用線材を交差された他方の鉄筋の前方側に当接させる際や、他端側の所定部位を交差部のうち一端が固定される側とは反対側に当接させる際に、他端側を手指で少し押し広げながら装着することができる。また、他端側を押し広げた状態で装着した後でも、他端側が弾性復帰するので、他端側の所定部位を交差部に係合させることができる。したがって、装着作業がさらに容易になり、且つ、横方向にさらにズレ動きにくくなる。
【００１３】
また、本発明において、前記装着用線材は、前記一端が前方へ向けて屈曲形成された状態で前記スペーサー主部のうち一方の鉄筋に掛けられる部位に埋設固定されるとともに、埋設固定された部位も含めて前記交差部の前方側に位置する鉄筋の前端部よりも後方に位置することが好ましい。
これにより、装着用線材は、一端が前方へ向けて屈曲形成された状態でスペーサー主部のうち一方の鉄筋に掛けられる部位に埋設固定されているが、埋設固定された部位も含めて交差部の前方側に位置する鉄筋の前端部よりも後方に位置するので、埋設固定された部位も含めて、交差部の前方側に位置する鉄筋の前端部から型枠の内面までの間に装着用線材が入らない状態（純かぶり状態）を確保することができる。
【００１４】
また、本発明において、前記ペーサ主部の後端と前記当接部との間に凹入段部を形成され、
前記凹入段部は、交差された一方の鉄筋に係合可能に構成されていることが好ましい。
これにより、鉄筋用スペーサーを縦横の鉄筋に装着した状態では、横向き鉄筋に横幅を有する凹入段部が係合することで、鉄筋用スペーサーの起立姿勢が安定維持される。
【００１５】
また、本発明において、前記スペーサー主部の後部側面から第２規制部を突設し、前記第２規制部の後端面を前記スペーサー主部の後端面に一連に連続させてもよい。
これにより、スペーサー主部の後部側面に沿って複数本の鉄筋が並べられる場合、複数本の鉄筋が、第２規制部によって広幅となったスペーサー主部の後端面に横方向に長く支持され、鉄筋用スペーサーの一方の鉄筋周りの回動、および、鉄筋用スペーサーの他方の鉄筋周りの回動が一層効果的に規制される。
【００１６】
また、本発明において、前記第１規制部と第２規制部との間に空隙を形成することが好ましい。
これにより、縦横の鉄筋が連結線で縛りつけ連結されている場合には、連結線の結び目をこの空隙に入り込ませることができ、結び目に邪魔されることなく鉄筋用スペーサーを鉄筋交差箇所に適正に装着することができる。
【００１７】
また、本発明において、前記ペーサ主部は、前記交差部において横向きの横鉄筋に掛けられ、
装着用線材は、前記横鉄筋の後方側で交差する縦向きの縦鉄筋の前方側に当接され、
第１規制部は、前記装着用線材が当接される前記縦鉄筋の前方側に近接対向することが好ましい。
これにより、鉄筋用スペーサーは、例えば横向きに延びる横鉄筋の後方側に交差して縦向きに延びる縦鉄筋が連結されている状態で、鉄筋用スペーサーが縦横に交差して組上げられた鉄筋の交差部に装着される場合、スペーサー主部が横鉄筋に型枠の設置側である前方に向けて片持ち状に掛けられ、スペーサー主部に一端が固定された装着用線材の他端側が交差された縦鉄筋の前方側に入り込んで当接され、スペーサー主部の側面から突設される第１規制部が装着用線材を当接させた縦鉄筋の前方側に近接対向される。これにより、横鉄筋に引っ掛けられたスペーサー主部が自らの重量により下方に回動するのを縦鉄筋に当接している装着用線材によって阻止できるとともに、スペーサー主部に不用意に触れて反転回動するのを縦鉄筋の前方側に近接対向する第１規制部によって阻止できる。したがって、交差部の横鉄筋側に装着される鉄筋用スペーサーの鉄筋への装着姿勢を安定保持できる。
【００１８】
なお、本明細書は、次のような鉄筋用スペーサーに係る発明も開示している。
【００１９】
（１）本発明は、縦横に交差して組上げられた鉄筋に、型枠の設置側である前方に向けて片持ち状に装着される鉄筋用スペーサーであって、
スペーサー主部の後部一部から当接部を後方に向けて延出し、スペーサー主部の後端と前記当接部との間に凹入段部を形成し、
前記凹入段部を、交差された一方の鉄筋に係合可能に構成するとともに、交差された他方の鉄筋を前記当接部の側面で受け止め支持可能に構成し、
前記当接部の側面で受け止め支持された鉄筋の前側に入り込む装着用線材を、前記当接部からスペーサー主部の後端に沿って片持ち状に延出し、
前記装着用線材を、遊端に屈曲部を備えた細長Ｕ形に屈曲形成して、そのＵ形を形成する一方の端辺部分の先端を前記当接部に固定するとともに、Ｕ形を形成する他方の端辺部分を変位自在にしてある、
ことを特徴とする。
【００２０】
これによると、例えば、横向きの鉄筋の後側に交差して縦向きの鉄筋が連結されている場合、鉄筋交差箇所の横側において横向き鉄筋に鉄筋用スペーサーの当接部を乗せ掛けるとともに、横向き鉄筋の後方側に装着用線材を位置させる。次に、装着用線材の自由な端辺部分を手指で少し押し広げ、この端辺部分の上端が鉄筋交差箇所より低くなるようにする。この状態のままで、鉄筋用スペーサーを鉄筋交差箇所に近づけるとともに、鉄筋用スペーサーを回動させ、これによって装着用線材における自由な端辺部分の上端を、鉄筋交差箇所を潜って反対側に回り込ませる。その後、当接部の側面を縦向き鉄筋に沿って当接させるとともに、装着用線材の押し広げた端辺部分を自由にし、弾性復帰した端辺部分の上端を鉄筋交差箇所に係合させる。
【００２１】
このように鉄筋用スペーサーを縦横の鉄筋に装着した状態では、横向き鉄筋に横幅を有する凹入段部が係合するとともに、縦向き鉄筋に鉄筋用スペーサーの当接部の側面が当接することで、鉄筋用スペーサーの起立姿勢が安定維持されるとともに、鉄筋用スペーサーが縦向き鉄筋周りに回動することが阻止される。また、鉄筋用スペーサーの当接部が縦向き鉄筋に一側方から当接するとともに、装着用線材の自由な端辺部分の上端が鉄筋交差箇所に他側方から係合することで、鉄筋用スペーサーが横向き鉄筋に沿ってズレ動くことが阻止される。
【００２２】
さらに、装着用線材の屈曲部が縦向き鉄筋に前方から係合することで、鉄筋用スペーサーが横向き鉄筋周りに自重で前倒れ回動することが阻止される。
【００２３】
（２）本発明の他の実施態様では、前記装着用線材を弾性変形可能な鋼線で構成してある。
【００２４】
これによると、装着用線材の自由な端辺部分を弾性変形させて大きく広げ、鉄筋交差箇所を容易に潜らすことができるとともに、この端辺部分を鉄筋交差箇所に弾性押圧させることができ、この弾圧作用によって当接部の側面を鉄筋を押し付けることができ、鉄筋用スペーサーの位置保持機能および姿勢保持機能を一層確実なものにすることができる。
【００２５】
（３）本発明の他の実施態様では、前記当接部の側面で受け止め支持された鉄筋に前側から近接対向する第１規制部を前記当接部の側面から突設してある。
【００２６】
これによると、例えば、横向きの鉄筋の後側に交差して縦向きの鉄筋が連結されている場合、第１規制部の後端面が縦向き鉄筋に前方から近接対向することになるので、装着した鉄筋用スペーサーのスペーサー主部に上向きの力が作用したとしても、第１規制部の後端面と縦向き鉄筋との当接によって一定以上の上向き回動は阻止されることになり、装着した鉄筋用スペーサーに触れる等しても、上向きに大きく反転回動して脱落するようなことはない。
【００２７】
（４）本発明の他の実施態様では、スペーサー主部の後部側面から第２規制部を突設し、第２規制部の後端面をスペーサー主部の後端面に一連に連続させてある。
【００２８】
これによると、横向きの鉄筋が縦向き鉄筋の前側で上下に複数本並べられる場合、下側の鉄筋が、第２規制部によって広幅となったスペーサー主部の後端面に横方向に長く支持され、鉄筋用スペーサーの縦向き鉄筋周りの回動、および、鉄筋用スペーサーの横向き鉄筋周りの前倒れ回動が一層効果的に規制される。
【００２９】
（５）本発明の他の実施態様では、前記第１規制部と第２規制部との間に空隙を形成してある。
【００３０】
これによると、縦横の鉄筋が連結線で縛りつけ連結されている場合には、連結線の結び目をこの空隙に入り込ませることができ、結び目に邪魔されることなく鉄筋用スペーサーを鉄筋交差箇所に適正に装着することができる。
【発明の効果】
【００３１】
以上のように、本発明によれば、鉄筋への装着を容易に行えるとともに、鉄筋への装着姿勢を安定保持することができる鉄筋用スペーサーを提供することができる。
【図面の簡単な説明】
【００３２】
【図１】鉄筋用スペーサーを後方側から見た外観斜視図である。
【図２】鉄筋用スペーサーの側面図である。
【図３】鉄筋用スペーサーの平面図である。
【図４】鉄筋用スペーサーの背面図である。
【図５】鉄筋用スペーサーの正面図である。
【図６】鉄筋用スペーサーを鉄筋に装着した状態を示す斜視図である。
【図７】スペーサー装着状態を示す側面図である。
【図８】スペーサー装着状態を示す平面図である。
【図９】スペーサー装着状態を示す背面図である。
【図１０】スペーサー装着手順を示す背面図である。
【図１１】他の装着形態を示す斜視図である。
【図１２】成形型の平面図である。
【図１３】図１２におけるｄ−ｄ断面図である。
【図１４】図１２におけるｅ−ｅ断面図である。
【図１５】図１２におけるｆ−ｆ断面図である。
【図１６】底側から見た成形型の斜視図である。
【図１７】組合せ連結した成形型群の平面図である。
【図１８】変形実施例に係る鉄筋用スペーサーの側面図である。
【発明を実施するための形態】
【００３３】
以下、図面を参照して本発明の一実施例の鉄筋用スペーサー１について説明する。なお、以降の説明において、鉄筋用スペーサー１の型枠支持側を前方（図中の符合ａ）、鉄筋用スペーサー１の鉄筋への装着側を後方（図中の符合ｂ）と呼称する。また、鉄筋用スペーサー１の地面側を下方（図中の符合ｃ）、鉄筋用スペーサー１の地面側とは反対側を上方（図中の符合ｄ）と呼称する。なお、上側、下側、上部、下部などの言葉が指し示す方向も、上記方向に同じ意味で使用する。
【００３４】
図１に本発明に係る鉄筋用スペーサー１を後方から見た斜視図が、図２に鉄筋用スペーサー１の側面図が、図３に鉄筋用スペーサー１の平面図が、図４に鉄筋用スペーサー１の背面図が、さらに、図５に鉄筋用スペーサー１の正面図がそれぞれ示されている。
【００３５】
鉄筋用スペーサー１は、縦向きの鉄筋１２と横向きの鉄筋１１とを交差して組上げられた鉄筋の交差部のうち鉄筋１１に装着可能である。この鉄筋用スペーサー１は、概ね、スペーサー主部２と、スペーサー主部２に一端が固定される装着用線材３とで構成される。
【００３６】
鉄筋用スペーサー１は、具体的には、コンクリートあるいはモルタル等の素材を後述する成型枠に流し込んで固化したものであり、側面視で略扇形に形成された左右に扁平なスペーサー主部２の後部に、装着用線材３を下向き片持ち状に埋設固定した構造となっている。
【００３７】
スペーサー主部２は、鉄筋１１に前方に向けて片持ち状に掛けられる。このスペーサー主部２は、前端側ほどその厚さが小さくなるよう形成されており、その円弧状の周面が型枠を当接支持して鉄筋と型枠との間隔を規制する支持面となる。
【００３８】
スペーサー主部２の側面には第１規制部６が突設され、この第１規制部６の後端面は鉄筋１２の前方側に近接対向する。
【００３９】
スペーサー主部２の後部上半部が後方に延出されて当接部４が形成されるとともに、鉄筋１２が当接部４の側面で受け止め支持される。この当接部４の下面とスペーサー主部２における下半部の後端面との間に、後方および下方に向けて直角に開放された凹入段部５が形成されている。また、凹入段部５の上方には、スペーサー主部２の側面、すなわち当接部４の側面から突出する縦長の第１規制部６が設けられるとともに、凹入段部５の前側には、スペーサー主部２の側面から突出する縦長の第２規制部７が、スペーサー主部２における下半部の後端に沿って設けられている。
【００４０】
装着用線材３は、スペーサー主部２のうち鉄筋１１に掛けられる部位に相当する当接部４の下面に一端に相当する端辺部分３ａの上端が固定され、他端側に相当する端辺部分３ｂが鉄筋１２の前方側に当接されるものである。この装着用線材３の他端側は、途中で屈曲されるとともに他端側の所定部位である例えば上端が鉄筋交差部のうち一端が固定される側とは反対側に当接するものである。
【００４１】
装着用線材３は、弾性変形可能な鋼線で構成され、他端側が変位自在に構成されている。具体的には、装着用線材３は、適度の弾性を有する鋼線を端辺長さが異なるＵ形に屈曲して形成されたものであり、その長い端辺部分３ａの上部が当接部４の下向き面に埋設固定されて、横側方から見て、装着用線材３の全体がスペーサー主部２における下半部の後端面と平行に対向されている。また、他方の短い端辺部分３ｂは、長い端辺部分３ａの下端から横側方に屈曲され、さらに上向きに屈曲されて、やゝ上拡がり姿勢で上向きに延出されている。
【００４２】
装着用線材３における端辺部分３ａの上端部は、前方に屈折して当接部４に埋設されている。これにより、装着用線材３の固定強度が一層高まる。
【００４３】
本発明に係る鉄筋用スペーサー１は以上のように構成されており、鉄筋への装着状態が図５〜図７に示されている。
【００４４】
コンクリート打設箇所に組上げられる鉄筋は、横向きの鉄筋１１の後方に縦向きの鉄筋１２を交差させて溶接（あるいは連結線で縛りつけ連結）されており、その鉄筋交差箇所近くに鉄筋用スペーサー１が装着される。なお、鉄筋交差箇所は交差部と呼ぶ場合もある。
【００４５】
スペーサー装着に際しては、先ず、図１０（ａ）に示すように、鉄筋交差箇所の横側において横向きの鉄筋１１に鉄筋用スペーサー１の当接部４を斜めに乗せ掛けるとともに、鉄筋１１の後方側に装着用線材３を位置させる。次に、装着用線材３の短い端辺部分３ｂを手指で少し押し広げ、この端辺部分３ｂの上端が鉄筋交差箇所より低くなるようにする。この状態のままで、図１０（ｂ）に示すように、鉄筋用スペーサー１を鉄筋交差箇所に近づけるとともに、鉄筋用スペーサー１を起立方向（図１０では時計方向）に回動させ、これによって装着用線材３における端辺部分３ｂの上端を、鉄筋交差箇所を潜って反対側に回り込ませる。その後、当接部４の側面を縦向き鉄筋１２に沿って当接させるとともに、装着用線材３の端辺部分３ｂを自由にし、弾性復帰した端辺部分３ｂの上端を鉄筋交差箇所の溶接ビードｂに係合させる。
【００４６】
このように鉄筋用スペーサー１を縦横の鉄筋１１，１２に装着した状態では、横向きの鉄筋１１に凹入段部５が大きい横幅をもって係合するとともに、縦向きの鉄筋１２に鉄筋用スペーサー１の当接部４の側面が当接することで、鉄筋用スペーサー１の起立姿勢が安定維持されるとともに、鉄筋用スペーサー１が縦向きの鉄筋１２周りに回動することが阻止される。また、鉄筋用スペーサー１の当接部４が縦向きの鉄筋１２に一側方から当接するとともに、装着用線材３の端辺部分３ｂの上端が鉄筋交差箇所に他側方から係合することで、鉄筋用スペーサー１が横向きの鉄筋１１に沿ってズレ動くことが阻止される。
【００４７】
さらに、装着用線材３の屈曲部３ｃが縦向きの鉄筋１２に前方から係合することで、鉄筋用スペーサー１が横向きの鉄筋１１周りに自重で前倒れ回動することが阻止される。また、第１規制部６の後面が縦向きの鉄筋１２に前方から近接対向しているので、装着した鉄筋用スペーサー１のスペーサー主部２に上向きの力が作用したとしても、第１規制部６の後面と縦向きの鉄筋１２との当接によって一定以上の上向き回動は阻止されることになり、装着した鉄筋用スペーサー１に触れる等しても、上向きに大きく反転回動して脱落するようなことはない。
【００４８】
なお、第１規制部６の下端と第２規制部７の上端との間には空隙ｓが形成されており、鉄筋１１，１２が連結線で縛りつけ連結されている場合には、連結線の結び目をこの空隙ｓに入り込ませることができる。
【００４９】
以上のように、鉄筋用スペーサー１を所定の前向き突出姿勢に装着した後、スペーサー主部２の先端に型枠９の内面が当接するように型枠９を組み上げて、生コンクリートを打ち込むことになる。
【００５０】
ここで、凹入段部５が係合する横向きの鉄筋１１の前端部に相当する前面から型枠１２の内面までの寸法が、打設されたコンクリートの外面から鉄筋１１の前面までの被り寸法Ｌとなる。このとき、当接部４に埋設固定される装着用線材３の端辺部分３ａの上端部（屈折された部分）の先端は、鉄筋１１の前面よりも後方に位置する。これにより、当接部４に埋設固定された部位も含めて、被り寸法Ｌの中に装着用線材３が入らない状態（純かぶり状態）が確保される。
【００５１】
上記被り寸法Ｌは、スペーサー主部２における一側面（表面）の中央箇所に凹入形成した数値表記部８を読み取ることで容易に確認することができるようになっている。なお、この実施例では、被り寸法Ｌが９０ｍｍの鉄筋用スペーサー１が例示されている。
【００５２】
また、異なった被り寸法Ｌの要望に対応するため、図２および図３中の仮想線で示すように、スペーサー主部２の先端位置の異なる複数種の鉄筋用スペーサー１を製作して提供する。
【００５３】
本発明の鉄筋用スペーサー１は上記のようにして装着することを標準としているが、図１１に示すように、横向きの鉄筋１１の前側に縦向きの鉄筋１２が交差するよう組上げられた鉄筋に装着する場合には、スペーサー主部２の裏面を上向きにした横倒れ姿勢で装着する。この場合も、上記した機能によって鉄筋用スペーサー１の装着姿勢および装着位置が安定維持される。
【００５４】
次に、上記鉄筋用スペーサー１の製作手順を説明する。
【００５５】
鉄筋用スペーサー１は、図１２〜図１６に示される成形型１３にコンクリートあるいはモルタル等の素材を流し込んで成型される。成形型１３は硬質樹脂材からなり、矩形に形成された厚肉プレート状のベース１４に、スペーサー主部２を形成する主キャビティＣ0が凹入形成されるとともに、装着用線材３を挿入する支持溝１５が上下に貫通して形成されている。そして、主キャビティＣ0の底部所定位置に、第１規制部６および第２規制部部７を形成するための第１キャビティＣ1よび第２キャビティＣ2が一段深く凹入形成されている。また、主キャビティＣ0の中央箇所には、数値表記部８を形成する刻印部２７が隆起されている。
【００５６】
図１５に示すように、前記支持溝１５は、所定の形状に屈曲した装着用線材３を、その長い端辺部分３ａの先端部を主キャビティＣ0に入り込ませるとともに、短い端辺部分３ｂを、その長手方向２箇所のブリッジ１６で受け止めることで、所定の姿勢で位置決め支持するよう構成されている。また、主キャビティＣ0との隔壁部における支持溝１５の溝幅が、線材径と同寸法に形成されるとともに、主キャビティＣ0から外に露出する大部分の溝幅が線材径より少し幅広く上下に貫通形成されており、支持溝１５に素材が多少流れ込んでも少し振動や衝撃を加えるだけで容易に流下排出されるようになっている。
【００５７】
なお、支持溝１５は、主キャビティＣ0の端部から異なった距離に複数本（この例では２本）設けられており、装着用線材３の設置位置を選択することができるようになっている。すなわち、装着用線材３の設置位置を選択することで、スペーサー主部２の後端面と装着用線材３との間隔を鉄筋径に対応したものにすることができる。
【００５８】
図１６は、成形型１３を底側から見た斜視図であり、主キャビティＣ0を形成する主膨出部１７、第１キャビティＣ1と第２キャビティＣ2を形成する第１膨出部１８、第２膨出部１９、および、支持溝１５を形成する第３膨出部２０が設けられている。また、第１膨出部１８および第３膨出部２０とベース１４に亘って一対の補強リブ２１が設けられるとともに、第２膨出部１９とベース１４に亘って補強リブ２２が設けられている。さらに、ベース１４の角部近くには一対の脚部２３が突設されるとともに、主膨出部１７の中央付近にも中央脚部２４が突設されている。前記補強リブ２１，２２、脚部２３、および、中央脚部２４は第１膨出部１８および第２膨出部１９と同高さに形成され、成形型１３を作業台などに水平に載置して、かつ、撓むことなく支持できるようになっている。
【００５９】
なお、被り寸法Ｌの異なる鉄筋用スペーサー１を製作するための成形型１３は、図１２中の仮想線で示すように、主キャビティＣ0の異なったものが用いられる。この場合、成形型１３の主キャビティＣ0以外の部位は同一仕様とされる。従って、成形型１３を樹脂形成する際に用いる金型は、第１キャビティＣ1、第２キャビティＣ2、および、支持溝１５を含む図中のＡ領域の金型と、主キャビティＣ0の大部分を含むＢ領域の金型とに分割され、Ａ領域の金型を共用してＢ領域の金型を取り替えることで、被り寸法Ｌの異なる成形型１３を形成することができる。
【００６０】
また、成形型１３の横一側方の側辺と上下の側辺には、楔形の係合爪２５ａ，２５ｂと係合凹部２６ａ、２６ｂが形成され、左右あるいは上下に並べた複数の成形型１３を、係合連結することができるようになっている。例えば、図１７に示すように、左右側辺の係合爪２５ａと係合凹部２６ａ、および、上下側辺の係合爪２５ｂと係合凹部２６ｂとを係合させることで４台の成形型１３を左右および上下に連結することができる。連結したこれらの成形型１３を支持台などに水平に載置して、各成形型１３の支持溝１５に装着用線材３を挿入装填した後、生コンクリートあるいは生モルタルなどの素材を流し込み、余剰の素材をヘラなどを用いて手作業で掻取って、充填した素材を成形型上面に沿って平坦に掻き均し、所定の温度および湿度管理のもとで養生硬化させる。
【００６１】
この場合、連結された成形型１３群は、キャビティが左右中央側に集められ、その左右外側に支持溝１５が位置することになるので、成形型１３群の中央に流し込んだ素材を掻き均す際に、支持溝１５に素材が流れ込み難いものとなる。また、支持溝１５が装着用線材３の線径より幅広で、かつ、下方に貫通しているので、若干の素材が支持溝１５に流れ込んだとしても容易に下方に流出しやすいものとなる。
【００６２】
養生硬化過程を終えると、各成形型１３を分離し、成形型１３を裏返しにして作業台などに打ち付けて衝撃を与えることで、硬化成形された鉄筋用スペーサー１を抜き外す。この場合、ベース１４における係合爪２５ａおよび係合凹部２６ａの在る側の端辺を親指以外の指で把持するとともに、中央脚部２４を親指の腹で支持し、このように把持した裏向きの成形型１３における補強リブ２１が在る側のベース端辺を作業台などに打ち付けることで、第１規制部６や第２規制部７などの抜けにくい部位に衝撃を集中することで、比較的容易に鉄筋用スペーサー１を抜き外すことができる。この際、中央脚部２４は、親指の腹に掛かる面をリブの無い面とすることで、親指の腹との接触面を大きくして、滑り外れることなく親指を中央脚部２４に掛け、しっかりと成形型１３を把持することができる。
【００６３】
本発明は、以下のような形態で実施することもできる。
【００６４】
（１）図７中の仮想線で示すように、横向きの鉄筋１１が上下に複数本並べられる場合、下側の鉄筋１１が、第２規制部７によって広幅となったスペーサー主部２の後端面に横方向に長く支持され、鉄筋用スペーサー１の縦向き鉄筋１２周りの回動、および、鉄筋用スペーサー１の横向き鉄筋１１周りの前倒れ回動が一層効果的に規制される。
【００６５】
（２）上記実施例では、第１規制部６および第２規制部７を独立した突起物として形成しているが、これらの後端面のみが機能部位であるので、第１規制部６および第２規制部７をスペーサー主部２の側面から徐々に隆起突出させるようにしてもよい。
【００６６】
（３）上記実施例では、端辺部分３ｂの上端を鉄筋交差箇所の溶接ビードｂに係合させる構成であったが、端辺部分３ｂの上端が鉄筋１１よりも上方位置に延出されている場合などには、端辺部分３ｂのうち上端を除く他の部位を溶接ビードｂに係合させる構成であってもよい。また、端辺部分３ｂの上端と溶接ビードｂとは常に係合状態になくとも、鉄筋１１に沿って鉄筋用スペーサー１がそれほど長くない所定長さを動いた後に係合状態となる構成であってもよい。
【００６７】
（４）上記実施例では、装着用線材３はＵ形に屈曲されて形成されたものであったが、屈曲される形としては略Ｕ形、Ｖ形、略Ｖ形などでもよい。また、装着用線材３は、当接部４に埋設固定された状態で少なくとも鉄筋１２の前方側に当接する部位があれば、Ｕ形、Ｖ形などに屈曲形成されていなくともよい。
【００６８】
（５）上記実施例では、装着用線材３は、適度の弾性を有する鋼線で形成されていたが、手指の力では撓みにくい鋼線または鉄筋で形成されていてもよい。また、装着用線材３は、鋼線として説明したが、これに限らず合成樹脂や炭素繊維などであってもよい。
【００６９】
（６）上記実施例では、横向きの鉄筋１１に係合する凹入段部５は、後方および下方に向けて直角に開放されたものであったが、スペーサー主部２のうち鉄筋１１に掛けられる部位の形状は凹入段部５の形状に限らず、円弧状または丸形のような形状であっても構わない。
【００７０】
（７）上記実施例では、スペーサー主部２の下半分の後端にはスペーサー主部２の側面から突出する縦長の第２規制部７が設けられていたが、第２規制部７を設けない構成であっても構わない。
【００７１】
（８）上記実施例では、第１規制部材６の下端と第２規制部材７の上端との間には空間ｓが形成されていたが、空間ｓを設けない構成であっても構わない。例えば、スペーサー主部２の後端に沿って第１規制部材６と第２規制部材７とが連続して形成されている構成であってもよい。
【００７２】
（９）上記実施例では、鉄筋１２を受け止め支持するための側面を有する当接部４がスペーサー主部２の後部に形成されているものを例に挙げて説明してきたが、図１８に示すように、当接部４を有しない構造であってもよい。図１８は、変形実施例に係る鉄筋用スペーサーの側面図である。なお、図１８では上述した説明と共通するものには共通の符合を付している。すなわち、図１８に示されるように、スペーサー主部２の後部には、少なくとも、装着用線材３と、鉄筋１１が掛けられる部位に相当する凹入段部５と、第１規制部６と、が形成されていればよい。この例での鉄筋用スペーサー１は、鉄筋１１回りの回動及び反転回動を阻止することができる。この場合、装着用線材３は、スペーサー主部２のうち凹入段部５が設けられている箇所に埋設固定される。
【００７３】
（１０）上記実施例では、装着用線材３は、装着用線材３を端辺長さが異なるＵ形に屈曲して形成されたものであったが、これに限らず、装着用線材３を屈曲して形成していないものであってもよい。例えば、スペーサー主部２の鉄筋１１に掛けられる部位に相当する当接部４の下面に一端が固定されて、他端側が鉄筋１２に向かって斜め下方向に直線的に延出される構成であってもよい。この変形例に係る装着用線材３は、屈曲されないが鉄筋１２に交差して鉄筋１２の前方側に当接されるので、鉄筋用スペーサー１の鉄筋１１回りの回動を阻止することが可能である。
【符号の説明】
【００７４】
２            スペーサー主部
３            装着用線材
３ａ          端辺部分
３ｂ          端辺部分
３ｃ          屈曲部
４            当接部
５            凹入段部
６            第１規制部
７            第２規制部
１１          鉄筋（横向き）
１２          鉄筋（縦向き）
ｓ            空隙
【図１】
0005740320.tif 000002
【図２】
0005740320.tif 000003
【図３】
0005740320.tif 000004
【図４】
0005740320.tif 000005
【図５】
0005740320.tif 000006
【図６】
0005740320.tif 000007
【図７】
0005740320.tif 000008
【図８】
0005740320.tif 000009
【図９】
0005740320.tif 000010
【図１０】
0005740320.tif 000011
【図１１】
0005740320.tif 000012
【図１２】
0005740320.tif 000013
【図１３】
0005740320.tif 000014
【図１４】
0005740320.tif 000015
【図１５】
0005740320.tif 000016
【図１６】
0005740320.tif 000017
【図１７】
0005740320.tif 000018
【図１８】
0005740320.tif 000019